(57)【特許請求の範囲】
【請求項１】
隣接するパチンコ台の玉受け皿に貸し玉を直接供給するためのノズルを少なくとも水平方向に回動自在に取り付ける玉貸機のノズル取り付け装置において、
前記玉貸機本体側と連通するように前記ノズルの回動軸付近の側面に形成される貸し玉用連通口と、
前記貸し玉用連通口を開閉可能に取り付けられるシャッタと、
前記ノズルが前記パチンコ台の遊技面側に回動するにつれて前記シャッタを開くように案内し、一方、前記ノズルが正面側に回動するにつれて前記シャッタを閉じるように案内する案内手段と、
を有することを特徴とする玉貸機のノズル取り付け装置。
【請求項２】
前記案内手段は、前記ノズルを支持する支持部材上に前記玉貸機本体のパネル面とほぼ垂直な方向に形成された案内溝であり、前記シャッタは、一端側が前記ノズルに回動自在に設けられ、他端側が前記案内溝とスライド可能に嵌合していることを特徴とする請求項１記載の玉貸機のノズル取り付け装置。
【請求項３】
前記シャッタには、上下に突き出るようにピンが形成され、前記ピンが前記案内溝と嵌合するように設けられていることを特徴とする請求項２記載の玉貸機のノズル取り付け装置。
【請求項４】
前記シャッタに連動して前記ノズルの回動軸部分を塞ぐように設けられる補助シャッタを有することを特徴とする請求項１記載の玉貸機のノズル取り付け装置。
【発明の詳細な説明】
【０００１】
【発明の属する技術分野】
本発明は隣接するパチンコ台の玉受け皿に貸し玉を直接供給するためのノズルを少なくとも水平方向に回動自在に取り付ける玉貸機のノズル取り付け装置に関し、特にノズルの回動軸付近の側面に玉貸機本体側との貸し玉用連通口が形成される玉貸機のノズル取り付け装置に関する。
【０００２】
【従来の技術】
従来、パチンコ台１台毎に隣接して設けられる玉貸機では、パチンコ台の玉受け皿に貸し玉を直接供給するためのノズルを有するものがある。
【０００３】
図６は従来の玉貸機のノズル取り付け部分の構造を示す断面図であり、（Ａ）は玉受け皿に供給するためにノズルの先端をパチンコ台側に向けた状態を示す図、（Ｂ）はノズルの先端を正面側（遊技者側）に向けた状態を示す図である。玉貸機本体４０のパネル面側には、取り付け板４４を介して基台４１が固定されている。この基台４１上には、ノズル４２が回動自在に取り付けられている。ノズル４２の内部には、貸し玉４５を図示されていない玉受け皿側に供給するための供給路４２ａが形成されている。
【０００４】
また、ノズル４２には、連結部４３の通路４３ａおよび取り付け板４４の孔４４ａと連通する連通口４２ｂが形成されている。この連通口４２ｂは、ノズル４２の先端側が図（Ａ）のようにパチンコ台側に向いているときのみに通路４３ａ等と連通する位置に形成されている。図（Ａ）の状態では、玉貸機本体４０側の図示されていない貸し玉供給機構部から送られる貸し玉４５が、孔４４ａ、通路４３ａ、および連通口４２ｂを介してノズル４２の供給路４２ａに供給され、パチンコ台の玉受け皿に放出される。
【０００５】
一方、図（Ｂ）のように、ノズル４２の先端を正面側に向けると、連通口４２ｂも向きが変わる。そして、通路４３ａはノズル４２の側面４２ｃによって塞がれる。これにより、玉貸機本体４０側の状態に係わらず、ノズル４２への貸し玉４５の供給が停止する。
【０００６】
【発明が解決しようとする課題】
しかし、このような従来の構成では、図（Ｂ）のように、ノズル４２の先端を正面側に向けたとき、連通口４２ｂが外部に剥き出しになってしまい、供給路４２ａ内に貸し玉４５が残っていると、この連通口４２ｂからこぼれるおそれがあった。また、連通４２ｂにいたずらでガム等を詰められ、ノズル４２が使用不可能になる心配もあった。
【０００７】
本発明はこのような点に鑑みてなされたものであり、ノズルの貸し玉用連通口の露出を防止することのできる玉貸機のノズル取り付け装置を提供することを目的とする。
【０００８】
【課題を解決するための手段】
本発明では上記課題を解決するために、隣接するパチンコ台の玉受け皿に貸し玉を直接供給するためのノズルを少なくとも水平方向に回動自在に取り付ける玉貸機のノズル取り付け装置において、前記玉貸機本体側と連通するように前記ノズルの回動軸付近の側面に形成される貸し玉用連通口と、前記貸し玉用連通口を開閉可能に取り付けられるシャッタと、前記ノズルが前記パチンコ台の遊技面側に回動するにつれて前記シャッタを開くように案内し、一方、前記ノズルが正面側に回動するにつれて前記シャッタを閉じるように案内する案内手段と、を有することを特徴とする玉貸機のノズル取り付け装置が提供される。
【０００９】
このようなノズル取り付け装置では、ノズルがパチンコ台の遊技面側に回動すると、それにつれてシャッタが案内手段によって案内されて貸し玉用連通口を開く。これにより、玉貸機本体側からの貸し玉がノズルに供給される。一方、ノズルが正面側に回動すると、それにつれてシャッタが案内手段によって案内されて閉じ、貸し玉用連通口を塞ぐ。これにより、貸し玉用連通口の露出が防止される。
【００１０】
【発明の実施の形態】
以下、本発明の一形態を図面を参照して説明する。
図２は本形態の玉貸機のノズル付近の外観構成を示す正面図である。玉貸機１０のパネル面１０ａの上下の中間位置には、ノズルユニット２０が装着されている。ノズルユニット２０のカバー２１の開口部２１ａからは、ノズル２２が突き出ている。ノズル２２は、その取り付け部２２１が、垂直方向の軸芯回りに回動可能なように玉貸機１０に取り付けられている。この取り付け部２２１には、軸支部２２２が一体に形成されている。さらに、軸支部２２２の先端には、ノズル本体２２３が軸２２ａを中心に上下方向に回動自在に取り付けられている。
【００１１】
ノズル本体２２３の先端の放出部２２ｂからは、玉貸機１０側から供給される貸し玉が放出され、これにより、パチンコ台の玉受け皿１１に貸し玉が供給される。
【００１２】
図３は貸し玉放出状態のノズルユニットの構成を示す図であり、（Ａ）は玉受け皿１１側から見た側面図、（Ｂ）は（Ａ）のＸ−Ｘ線に沿う断面図である。ただし、図（Ｂ）では、シャッタ２７と補助シャッタ２８のみは、上面図で示してある。まず、図（Ａ）に示すように、ノズルユニット２０は、主に、ノズル２２と、基台２３と、連結部材２４と、上側カバー２５とから構成されている。これらの部材は、取り付け板２６に、爪２３ａ等を介して一体に取り付けられている。また、取り付け板２６は、玉貸機１０のパネル面１０ａに固定される。
【００１３】
ノズル２２は、その取り付け部２２１の軸部２２１ａが、基台２３と上側カバー２４とによって、水平方向に回動可能に軸支されている。ノズル２２には、図（Ｂ）に示すように、貸し玉３０用の供給路２２ｃが形成されている。この供給路２２ｃは、連通口２２ｄを介して、連結部材２４の通路２４ａ、および取り付け板２６の孔２６ａと連通している。
【００１４】
また、図（Ｂ）に示すように、ノズル２２の取り付け部２２１には、シャッタ２７が、その軸２７ａを中心に連通口２２ｄを開閉可能に取り付けられている。また、シャッタ２７の軸２７ａと反対側の端部には、上下にそれぞれピン２７ｂ，２７ｃが形成されている。下側のピン２７ｃは、基台２３に形成された案内溝２３１に嵌合している。
【００１５】
図４は基台２３の具体的な形状を示す図である。基台２３には、２本の案内溝２３１，２４２が形成されている。案内溝２３１は、パネル側（図面右側）部２３１ａが通路２４ａ寄りに位置し、ノズル側（図面左側）部２３１ｂが玉受け皿側に位置するように形成されている。上側カバー２５にも、案内溝２３１と対称形状の、図示されていない溝が形成されている。
【００１６】
また、基台２３には、案内溝２３１のパネル側部分２３１ａとほぼ平行で、かつノズル側部分２３１ｂとほぼ一直線上に位置する案内溝２３２が形成されている。上側カバー２５にも、案内溝２３２と対称形状の、図示されていない溝が形成されている。
【００１７】
図３に戻り、案内溝２３１には、シャッタ２７の下側のピン２７ｃがスライド可能に嵌合している。同様に、案内溝２３１と対称に形成された上側カバー２５の図示されていない溝には、シャッタ２７の上側のピン２７ｂがスライド可能に嵌合している。
【００１８】
さらに案内溝２３２には、補助シャッタ２８の右下側のピン２８ｄがスライド可能に嵌合している。同様に、案内溝２３２と対称に形成された上側カバー２５の図示されていない溝には、補助シャッタ２８の右上側のピン２８ｂがスライド可能に嵌合している。また、補助シャッタ２８の左下側のピン２８ｃは、基台２３の案内溝２３１にスライド可能に嵌合している。また、左上側のピン２８ａは、案内溝２３１と対称に形成された上側カバー２５の図示されていない溝にスライド可能に嵌合している。
【００１９】
補助シャッタ２８には、左側のピン２８ａ，２８ｃよりもピン１本分の幅程度だけ離れて突状部２８ｅが形成されている。
このようなノズルユニット２０は、取り付け板２６を介して、玉貸機１０に取り付けられている。また、連結部材２４の側面は、玉貸機１０側の保護板２９によって保護されている。
【００２０】
次に、このようなノズルユニット２０の動作について説明する。
まず、図３（Ｂ）に示すように、ノズル２２が貸し玉供給位置にある場合には、連通口２２ｄが通路２４ａと連通するので、玉貸機１０内部の図示されていない貸し玉供給機構から放出された貸し玉３０が、ノズル２２の供給路２２ｃ内に供給される。これにより、図２で示した玉受け皿１１上に、貸し玉３０が放出される。
【００２１】
ところで、パチンコ台の遊技面のガラス扉を開いたりする場合には、ノズル２２を正面側に回動させる必要がある。
図１はノズル２２を正面側に回動させる途中のノズルユニット２０の状態を示す図であり、（Ａ）は玉受け皿１１側から見た側面図、（Ｂ）は（Ａ）のＹ−Ｙ線に沿う断面図である。図（Ｂ）に示すように、図面右回りにノズル２２を回動させると、シャッタ２７もそれに引っ張られてスライドする。このとき、シャッタ２７は、そのピン２７ｂ，２７ｃがそれぞれ図示されていない溝および案内溝２３１に沿ってスライドする。
【００２２】
そして、ピン２７ｂ，２７ｃは、補助シャッタ２８の突状部２８ｅを乗り越えて、それぞれピン２８ａ，２８ｂと接触する。このとき、ノズル２２の連通口２２ｄは、玉受け皿側に向くが、シャッタ２８によって塞がれているので、露出することがない。
【００２３】
この状態からさらにノズル２２を回動させると、シャッタ２７のピン２７ｂ，２７ｃによって補助シャッタ２８のピン２８ａ，２８ｃが引っ張られて、スライドを開始する。
【００２４】
図５はノズル２２を正面側に最大限に回動させたときのノズルユニット２０の状態を示す図であり、（Ａ）は玉受け皿１１側から見た側面図、（Ｂ）は図（Ａ）のＺ−Ｚ線に沿う断面図である。この場合、シャッタ２７は完全に連通口２２ｄを塞いでいる。また、保護板２９とシャッタ２７との隙間は、補助シャッタ２８によって塞がれている。
【００２５】
この状態から再びノズル２２を貸し玉供給位置に戻すために、ノズル２２を図面左回りに回動させると、ノズル２２の回動に従ってシャッタ２７が図面右方向にスライドする。このとき、シャッタ２７のピン２７ｂ，２７ｃが補助シャッタ２８の突状部２８ｅを押すので、補助シャッタ２８も右方向にスライドする。そして、最終的には、ノズルユニット２０の全ての機構部が、図３で示した状態に戻る。
【００２６】
このように、本形態では、ノズル２２の回動に連動して連通口２２ｄを塞ぐシャッタ２７を設けるようにしたので、連通口２２ｄが露出されることがない。したがって、供給路２２ｄ内に貸し玉３０が残っていても、連通口２２ｄからこぼれることがない。また、いたずらで連通口２２ｄにガム等を詰められ、ノズル２２が使用不可能になる心配もなくなる。
【００２７】
また、本形態では、シャッタ２７に連動する補助シャッタ２８を設けたので、連結部材２４側の保護も可能となる。
【００２８】
【発明の効果】
以上説明したように本発明では、ノズルが正面側に回動すると、それにつれて案内手段によって案内されて貸し玉用連通口を塞ぐシャッタを設けるようにしたので貸し玉用連通口の露出が防止される。
【００２９】
したがって、ノズルの供給路内に貸し玉が残っていても、連通口からこぼれることがない。また、いたずらで連通口にガム等を詰められ、ノズルが使用不可能になる心配もなくなる。
【図面の簡単な説明】
【図１】ノズルを正面側に回動させる途中のノズルユニットの状態を示す図であり、（Ａ）は玉受け皿側から見た側面図、（Ｂ）は（Ａ）のＹ−Ｙ線に沿う断面図である。
【図２】本形態の玉貸機のノズル付近の外観構成を示す正面図である。
【図３】貸し玉放出状態のノズルユニットの構成を示す図であり、（Ａ）は玉受け皿側から見た側面図、（Ｂ）は（Ａ）のＸ−Ｘ線に沿う断面図である。
【図４】基台の具体的な形状を示す図である。
【図５】ノズルを正面側に最大限に回動させたときのノズルユニットの状態を示す図であり、（Ａ）は玉受け皿側から見た側面図、（Ｂ）は（Ａ）のＺ−Ｚ線に沿う断面図である。
【図６】従来の玉貸機のノズル取り付け部分の構造を示す断面図であり、（Ａ）は玉受け皿に供給するためにノズルの先端をパチンコ台側に向けた状態を示す図、（Ｂ）はノズルの先端を正面側（遊技者側）に向けた状態を示す図である。
【符号の説明】
１０  玉貸機
２０  ノズルユニット
２１  カバー
２２  ノズル
２２ａ  軸
２２ｂ  放出口
２２ｃ  供給路
２２ｄ  連通口
２３  基台
２４  連結部材
２５  上側カバー
２７  シャッタ
２７ａ，２７ｂ，２７ｃ，２７ｄ  ピン
２８  補助シャッタ
３０  貸し玉
２２１  取り付け部
２２２  軸支部
２２３  ノズル本体
２３１  案内溝
２３２  案内溝
【図１】
0004094696.tif 000002
【図２】
0004094696.tif 000003
【図３】
0004094696.tif 000004
【図４】
0004094696.tif 000005
【図５】
0004094696.tif 000006
【図６】
0004094696.tif 000007